(57)【要約】【課題】特にエバポレータとして用いた場合、吐気温のさらなる均一化を図りうる熱交換器を提供する。【解決手段】エバポレータ１は、右端部に冷媒入口77を有する冷媒入口ヘッダ部５と、冷媒入口ヘッダ部５の長さ方向に間隔をおいて配置されかつ冷媒入口ヘッダ部５に接続された複数の熱交換管15とを備えている。冷媒入口ヘッダ部５内を、仕切板23の前側仕切部48によって冷媒入口77を通して冷媒が流入する上側空間5aと、熱交換管12が臨む下側空間5bとに区画する。前側仕切部48における左端部に位置する熱交換管15よりも左側の部分において、前側仕切部48に両空間5a,5bを通じさせる連通口52を形成する。前側仕切部48の下側空間5b側を向いた面における連通口52の右側縁部に、下側空間5b側に突出し、かつ冷媒を右端部側に案内するガイド部59を設る。【選択図】図６
2008298319.tif 000002
【特許請求の範囲】
【請求項１】
一端部に冷媒入口を有するとともに他端部が閉鎖された冷媒入口ヘッダ部と、冷媒入口ヘッダ部の長さ方向に間隔をおいて配置されかつ冷媒入口ヘッダ部に接続された複数の熱交換管とを備えており、冷媒入口ヘッダ部内が、仕切部材によって上下２つの空間に区画され、第１の空間内に冷媒入口を通して冷媒が流入するとともに、第２の空間内に熱交換管が臨むようになされており、仕切部材における冷媒入口とは反対側の端部に位置する熱交換管よりも前記他端部側の部分において、仕切部材に両空間を通じさせる連通口が形成され、冷媒が、連通口を通って流れ方向を変えるようにＵターンして第１の空間から第２の空間に流入するようになされている熱交換器であって、
仕切部材の第２の空間側を向いた面における連通口の前記他端部側の縁部に、第２の空間側に突出し、かつ冷媒を前記一端部側に案内するガイド部が設けられている熱交換器。
【請求項２】
ガイド部が、熱交換管側に向かって前記一端部側に傾斜した傾斜部と、傾斜部の先端部に連なって設けられかつ前記一端部側にのびる水平部とを備えている請求項１記載の熱交換器。
【請求項３】
ガイド部の水平部の先端が、連通口の前記一端部側の縁部よりも前記一端部側に位置している請求項２記載の熱交換器。
【請求項４】
ガイド部が、仕切部材における連通口の通風方向の両側縁部に下方に向かって通風方向内方に傾斜するように一体に形成され、かつ傾斜部および水平部の通風方向の両側縁部を仕切部材に連結する連結部を備えている請求項２または３記載の熱交換器。
【請求項５】
ガイド部が、熱交換管側に向かって前記一端部側に傾斜した傾斜部を備えている請求項１記載の熱交換器。
【請求項６】
ガイド部が、仕切部材における連通口の通風方向の両側縁部に下方に向かって通風方向内方に傾斜するように一体に形成され、かつ傾斜部の通風方向の両側縁部を仕切部材に連結する連結部を備えている請求項５記載の熱交換器。
【請求項７】
ガイド部が、熱交換管側に向かって前記一端部側に湾曲した湾曲部を備えている請求項１記載の熱交換器。
【請求項８】
ガイド部の湾曲部を冷媒入口側から見た形状は、通風方向中央部が熱交換管側に突出した円弧状であり、湾曲部の通風方向の両側縁部が、仕切部材における連通口の通風方向の両側縁部に連なっている請求項７記載の熱交換器。
【請求項９】
冷媒入口ヘッダ部が、両端が開口した入口ヘッダ部本体と、入口ヘッダ部本体の両端開口を閉鎖するキャップとを備えており、入口ヘッダ部本体が、熱交換管が接続された第１部材と、第１部材に接合されかつ第１部材における熱交換管とは反対側を覆う第２部材とを有し、第１部材と第２部材との間に、板状仕切部材が配置されて第１および第２部材に接合されており、前記一端部側の第１のキャップにおける仕切部材よりも上方の部分に冷媒入口が形成されている請求項１〜８のうちのいずれかに記載の熱交換器。
【請求項１０】
各キャップに、入口ヘッダ部本体における第１の空間内に嵌め入れられる第１の内方突出部、および同じく第２の空間内に嵌め入れられる第２の内方突出部が形成され、第１キャップの第１内方突出部の突出端壁に冷媒入口が形成され、板状仕切部材の両端部が、それぞれ両キャップの両内方突出部間に差し込まれて両キャップに接合されている請求項９記載の熱交換器。
【請求項１１】
冷媒入口ヘッダ部の通風方向上流側に冷媒出口ヘッダ部が一体に設けられ、冷媒出口ヘッダ部が、両端が開口した出口ヘッダ部本体と、出口ヘッダ部本体の両端開口を閉鎖するキャップとを備えており、出口ヘッダ部本体が、熱交換管が接続された第１部材と、第１部材に接合されかつ第１部材における熱交換管とは反対側を覆う第２部材と、第１部材と第２部材との間に配置されかつ冷媒出口ヘッダ部内を上下２つの空間に区画する板状仕切部材とを有し、当該仕切部材に両空間を通じさせる連通穴が形成されており、出口ヘッダ部本体の第１部材、第２部材および板状仕切部材が、それぞれ入口ヘッダ部本体の第１部材、第２部材および板状仕切部材と一体化されるとともに、冷媒入口ヘッダ部の両キャップと冷媒出口ヘッダ部の両キャップとがそれぞれ一体化され、冷媒入口ヘッダ部および冷媒出口ヘッダ部により冷媒入出用ヘッダタンクが形成されている請求項９または１０記載の熱交換器。
【請求項１２】
冷媒入出用ヘッダタンクと間隔をおいて冷媒ターン用ヘッダタンクが配置され、冷媒ターン用ヘッダタンクに、冷媒入口ヘッダ部と対向する第１中間ヘッダ部と、冷媒出口ヘッダ部と対向しかつ第１中間ヘッダ部に通じる第２中間ヘッダ部とが一体に設けられ、両ヘッダタンク間に、両端部が両ヘッダタンクのヘッダ部に接続された複数の熱交換管からなる熱交換管群が、通風方向に間隔をおいて複数列設けられるとともに、両ヘッダタンクの各ヘッダ部どうしの間に、それぞれ少なくとも１列の熱交換管群が配置され、冷媒ターン用ヘッダタンクが、熱交換管が接続された第１部材と、第１部材に接合されかつ第１部材における熱交換管とは反対側を覆う第２部材と、第１部材と第２部材との間に配置されて両部材に接合され、かつ両中間ヘッダ部内を上下２つの空間に区画する板状仕切部材とを有し、板状仕切部材に両ヘッダの２つの空間を通じさせる連通穴が形成されている請求項１１記載の熱交換器。
【発明の詳細な説明】
【技術分野】
【０００１】
この発明は、たとえば自動車に搭載される冷凍サイクルであるカーエアコンのエバポレータに好適に使用される熱交換器に関する。
【０００２】
この明細書および特許請求の範囲において、図１および図２の上下を上下というものとする。
【背景技術】
【０００３】
小型軽量化および高性能化を満たしたカーエアコン用エバポレータに用いられる熱交換器として、本出願人は、先に、間隔をおいて配置された複数の熱交換管からなる熱交換管群が前後方向に並んで２列配置されることにより構成された熱交換コア部と、熱交換コア部の上端側に配置された冷媒入出用ヘッダタンクと、熱交換コア部の下端側に配置された冷媒ターン用ヘッダタンクとを備えており、冷媒入出用ヘッダタンクに、一端部に冷媒入口が形成されるとともに他端部が閉鎖された冷媒入口ヘッダ部と、冷媒入口と同一端部に冷媒出口が形成されるとともに他端部が閉鎖された冷媒出口ヘッダ部とが前後に並んで一体に設けられ、冷媒ターン用ヘッダタンクに、冷媒入口ヘッダ部と対向する第１中間ヘッダ部と、冷媒出口ヘッダ部に対向する第２中間ヘッダ部とが前後に並んで一体に設けられ、前側熱交換管群の熱交換管の上端部が冷媒入口ヘッダ部に、後側熱交換管群の熱交換管の上端部が冷媒出口ヘッダ部にそれぞれ接続され、前側熱交換管群の熱交換管の下端部が冷媒流入ヘッダ部に、後側熱交換管群の熱交換管の下端部が冷媒流出ヘッダ部にそれぞれ接続され、冷媒入口ヘッダ部内が、板状仕切部材によって上下２つの空間に区画され、第１の空間内に冷媒入口を通して冷媒が流入するとともに、第２の空間内に熱交換管が臨むようになされており、仕切部材における冷媒入口とは反対側の端部に位置する熱交換管よりも前記他端部側の部分において、仕切部材に両空間を通じさせる連通口が形成され、冷媒が、連通部を通って流れ方向を変えるようにＵターンして第１の空間から第２の空間に流入するようになされている熱交換器を提案した（特許文献１参照）。
【０００４】
しかしながら、本発明者が種々検討した結果、特許文献１記載のエバポレータにおいては、次のような問題が生じることを見出した。
【０００５】
すなわち、特に冷媒量が多い場合、冷媒が、冷媒入口ヘッダ部内の第１の空間から連通口を通って第２の空間に流入する際に、流れの勢いによって冷媒入口ヘッダ部の熱交換管が接続されている壁における連通口のほぼ真下の部分に衝突して仕切部材側に跳ね返り、冷媒が、冷媒入口とは反対側の端部に位置する数本の熱交換管内に流入しにくくなり、その結果、エバポレータを通過してきた空気の温度である吐気温が、冷媒入口とは反対側の端部において若干不均一になり、吐気温の均一化が不十分になる場合が生じることを見出した。
【特許文献１】特開２００６−１３２９２０号公報
【発明の開示】
【発明が解決しようとする課題】
【０００６】
この発明の目的は、上記問題を解決し、エバポレータとして用いた場合、吐気温のさらなる均一化を図りうる熱交換器を提供することにある。
【課題を解決するための手段】
【０００７】
本発明は、上記目的を達成するために以下の態様からなる。
【０００８】
1)一端部に冷媒入口を有するとともに他端部が閉鎖された冷媒入口ヘッダ部と、冷媒入口ヘッダ部の長さ方向に間隔をおいて配置されかつ冷媒入口ヘッダ部に接続された複数の熱交換管とを備えており、冷媒入口ヘッダ部内が、仕切部材によって上下２つの空間に区画され、第１の空間内に冷媒入口を通して冷媒が流入するとともに、第２の空間内に熱交換管が臨むようになされており、仕切部材における冷媒入口とは反対側の端部に位置する熱交換管よりも前記他端部側の部分において、仕切部材に両空間を通じさせる連通口が形成され、冷媒が、連通口を通って流れ方向を変えるようにＵターンして第１の空間から第２の空間に流入するようになされている熱交換器であって、
仕切部材の第２の空間側を向いた面における連通口の前記他端部側の縁部に、第２の空間側に突出し、かつ冷媒を前記一端部側に案内するガイド部が設けられている熱交換器。
【０００９】
2)ガイド部が、熱交換管側に向かって前記一端部側に傾斜した傾斜部と、傾斜部の先端部に連なって設けられかつ前記一端部側にのびる水平部とを備えている上記1)記載の熱交換器。
【００１０】
3)ガイド部の水平部の先端が、連通口の前記一端部側の縁部よりも前記一端部側に位置している上記2)記載の熱交換器。
【００１１】
4)ガイド部が、仕切部材における連通口の通風方向の両側縁部に下方に向かって通風方向内方に傾斜するように一体に形成され、かつ傾斜部および水平部の通風方向の両側縁部を仕切部材に連結する連結部を備えている上記2)または3)記載の熱交換器。
【００１２】
5)ガイド部が、熱交換管側に向かって前記一端部側に傾斜した傾斜部を備えている上記1)記載の熱交換器。
【００１３】
6)ガイド部が、仕切部材における連通口の通風方向の両側縁部に下方に向かって通風方向内方に傾斜するように一体に形成され、かつ傾斜部の通風方向の両側縁部を仕切部材に連結する連結部を備えている上記5)記載の熱交換器。
【００１４】
7)ガイド部が、熱交換管側に向かって前記一端部側に湾曲した湾曲部を備えている上記1)記載の熱交換器。
【００１５】
8)ガイド部の湾曲部を冷媒入口側から見た形状は、通風方向中央部が熱交換管側に突出した円弧状であり、湾曲部の通風方向の両側縁部が、仕切部材における連通口の通風方向の両側縁部に連なっている上記7)記載の熱交換器。
【００１６】
9)冷媒入口ヘッダ部が、両端が開口した入口ヘッダ部本体と、入口ヘッダ部本体の両端開口を閉鎖するキャップとを備えており、入口ヘッダ部本体が、熱交換管が接続された第１部材と、第１部材に接合されかつ第１部材における熱交換管とは反対側を覆う第２部材とを有し、第１部材と第２部材との間に、板状仕切部材が配置されて第１および第２部材に接合されており、前記一端部側の第１のキャップにおける仕切部材よりも上方の部分に冷媒入口が形成されている上記1)〜8)のうちのいずれかに記載の熱交換器。
【００１７】
10)各キャップに、入口ヘッダ部本体における第１の空間内に嵌め入れられる第１の内方突出部、および同じく第２の空間内に嵌め入れられる第２の内方突出部が形成され、第１キャップの第１内方突出部の突出端壁に冷媒入口が形成され、板状仕切部材の両端部が、それぞれ両キャップの両内方突出部間に差し込まれて両キャップに接合されている上記9)記載の熱交換器。
【００１８】
11)冷媒入口ヘッダ部の通風方向上流側に冷媒出口ヘッダ部が一体に設けられ、冷媒出口ヘッダ部が、両端が開口した出口ヘッダ部本体と、出口ヘッダ部本体の両端開口を閉鎖するキャップとを備えており、出口ヘッダ部本体が、熱交換管が接続された第１部材と、第１部材に接合されかつ第１部材における熱交換管とは反対側を覆う第２部材と、第１部材と第２部材との間に配置されかつ冷媒出口ヘッダ部内を上下２つの空間に区画する板状仕切部材とを有し、当該仕切部材に両空間を通じさせる連通穴が形成されており、出口ヘッダ部本体の第１部材、第２部材および板状仕切部材が、それぞれ入口ヘッダ部本体の第１部材、第２部材および板状仕切部材と一体化されるとともに、冷媒入口ヘッダ部の両キャップと冷媒出口ヘッダ部の両キャップとがそれぞれ一体化され、冷媒入口ヘッダ部および冷媒出口ヘッダ部により冷媒入出用ヘッダタンクが形成されている上記9)または10)記載の熱交換器。
【００１９】
12)冷媒入出用ヘッダタンクと間隔をおいて冷媒ターン用ヘッダタンクが配置され、冷媒ターン用ヘッダタンクに、冷媒入口ヘッダ部と対向する第１中間ヘッダ部と、冷媒出口ヘッダ部と対向しかつ第１中間ヘッダ部に通じる第２中間ヘッダ部とが一体に設けられ、両ヘッダタンク間に、両端部が両ヘッダタンクのヘッダ部に接続された複数の熱交換管からなる熱交換管群が、通風方向に間隔をおいて複数列設けられるとともに、両ヘッダタンクの各ヘッダ部どうしの間に、それぞれ少なくとも１列の熱交換管群が配置され、冷媒ターン用ヘッダタンクが、熱交換管が接続された第１部材と、第１部材に接合されかつ第１部材における熱交換管とは反対側を覆う第２部材と、第１部材と第２部材との間に配置されて両部材に接合され、かつ両中間ヘッダ部内を上下２つの空間に区画する板状仕切部材とを有し、板状仕切部材に両ヘッダの２つの空間を通じさせる連通穴が形成されている上記11)記載の熱交換器。
【発明の効果】
【００２０】
上記1)〜8)の熱交換器によれば、仕切部材の第２の空間側を向いた面における連通口の前記他端部側の縁部に、第２の空間側に突出し、かつ冷媒を前記一端部側に案内するガイド部が設けられているので、冷媒量が多い場合であっても、冷媒が、冷媒入口ヘッダ部内の第１の空間から連通口を通って第２の空間に流入する際に、ガイド部に案内されて前記一端部側、すなわち冷媒入口が形成された端部側にスムーズに流れることになる。したがって、冷媒が、流れの勢いによって冷媒入口ヘッダ部の熱交換管が接続されている壁における連通口と対応する部分に衝突して仕切部材側に跳ね返ることが防止される。その結果、冷媒は、冷媒入口とは反対側の端部に位置する数本の熱交換管内にも流入し易くなり、エバポレータとして用いた場合、エバポレータを通過してきた空気の温度である吐気温が冷媒入口とは反対側の端部においても均一化され、吐気温のさらなる均一化を図ることが可能になる。
【００２１】
上記9)の熱交換器によれば、板状の素材にプレス加工などを施すことにより、比較的簡単にガイド部を形成することができる。
【００２２】
上記10)の熱交換器によれば、仕切部材と両キャップとの接合信頼性を向上させることができる。また、各キャップ自体の耐圧強度を向上させることもできる。
【００２３】
上記11)の熱交換器によれば、冷媒入口ヘッダ部および冷媒出口ヘッダ部を有する冷媒入出用ヘッダタンクを比較的簡単に製造することができる。
【００２４】
上記12)の熱交換器によれば、冷媒ターン用ヘッダタンクの第１部材および第２部材として、冷媒入出用ヘッダタンクの第１部材および第２部材と同一のものを用いることが可能となり、部品点数が少なくて済む。
【発明を実施するための最良の形態】
【００２５】
以下、この発明の実施形態を、図面を参照して説明する。以下に述べる実施形態は、この発明による熱交換器を、フロン系冷媒を使用するカーエアコンのエバポレータに適用したものである。
【００２６】
なお、以下の説明において、「アルミニウム」という用語には、純アルミニウムの他にアルミニウム合金を含むものとする。また、以下の説明において、隣接する熱交換管どうしの間の通風間隙を流れる空気の下流側（図１、図３および図４に矢印Ｘで示す方向）を前、これと反対側を後というものとし、図２の左右を左右というものとする。
【００２７】
さらに、全図面を通じて同一部分および同一物には同一符号を付して重複する説明を省略する。
【００２８】
図１および図２はエバポレータの全体構成を示し、図３〜図１３はエバポレータの要部の構成を示す。
【００２９】
図１〜図４に示すように、エバポレータ(1)は、上下方向に間隔をおいて配置されたアルミニウム製冷媒入出用ヘッダタンク(2)とアルミニウム製冷媒ターン用ヘッダタンク(3)との間に熱交換コア部(4)が設けられたものである。
【００３０】
冷媒入出用ヘッダタンク(2)は、前側（通風方向下流側）に位置し、かつ右端部に冷媒入口(77)を有するとともに左端部が閉鎖された冷媒入口ヘッダ部(5)と、後側（通風方向上流側）に位置し、かつ右端部に冷媒出口(78)を有するとともに左端部が閉鎖された冷媒出口ヘッダ部(6)と、両ヘッダ部(5)(6)を相互に連結一体化する連結部(7)とを備えている（図３参照）。冷媒入出用ヘッダタンク(2)の冷媒入口ヘッダ部(5)にアルミニウム製冷媒入口管(8)が接続され、同じく冷媒出口ヘッダ部(6)にアルミニウム製冷媒出口管(9)が接続されている。
【００３１】
冷媒ターン用ヘッダタンク(3)は、前側に位置する第１中間ヘッダ部(11)と、後側に位置する第２中間ヘッダ部(12)と、両ヘッダ部(11)(12)を相互に連結一体化する連結部(13)とを備えており、両ヘッダ部(11)(12)と連結部(13)とにより排水樋(14)が形成されている（図３参照）。冷媒入出用ヘッダタンク(2)および冷媒ターン用ヘッダタンク(3)の周壁の横断面形状は同一であり、互いに上下逆向きに配置されている。
【００３２】
熱交換コア部(4)は、左右方向に間隔をおいて並列状に配置された複数の熱交換管(15)からなる熱交換管群(16)が、前後方向に並んで複数列、ここでは２列配置され、各熱交換管群(16)の隣接する熱交換管(15)どうしの間の通風間隙、および各熱交換管群(16)の左右両端の熱交換管(15)の外側にそれぞれコルゲートフィン(17)が配置されて熱交換管(15)にろう付され、さらに左右両端のコルゲートフィン(17)の外側にそれぞれアルミニウム製サイドプレート(18)が配置されてコルゲートフィン(17)にろう付されることにより構成されている。そして、前側熱交換管群(16)の熱交換管(15)の上下両端は冷媒入口ヘッダ部(5)および第１中間ヘッダ部(11)に接続され、後側熱交換管群(16)の熱交換管(15)の上下両端部は冷媒出口ヘッダ部(6)および第２中間ヘッダ部(12)に接続されている。ここで、冷媒入口ヘッダ部(5)および第２中間ヘッダ部(12)が、熱交換管(15)に冷媒が流入する側のヘッダ部である。
【００３３】
熱交換管(15)はアルミニウム押出形材で形成されたベア材からなり、幅方向を前後方向に向けて配置されるとともに幅方向に並んだ複数の冷媒通路を有する扁平状である。コルゲートフィン(17)は両面にろう材層を有するアルミニウムブレージングシートを用いて波状に形成されたものであり、波頂部、波底部および波頂部と波底部とを連結する水平状連結部よりなり、連結部に複数のルーバが前後方向に並んで形成されている。コルゲートフィン(17)は、前後の熱交換管群(16)を構成する前後両熱交換管(15)に共有されており、その前後方向の幅は前側熱交換管(15)の前側縁と後側熱交換管(15)の後側縁との間隔をほぼ等しくなっている。そして、コルゲートフィン(17)の波頂部および波底部は、前後の熱交換管にろう付されている。コルゲートフィン(17)の前側縁は前側熱交換管(15)の前側縁よりも若干前方に突出している。なお、１つのコルゲートフィンが前後両熱交換管群(16)に共有される代わりに、両熱交換管群(16)の隣り合う熱交換管(15)どうしの間にそれぞれコルゲートフィンが配置されていてもよい。
【００３４】
図２〜図６に示すように、冷媒入出用ヘッダタンク(2)は、両面にろう材層を有するアルミニウムブレージングシートにプレス加工を施すことにより形成されかつすべての熱交換管(15)が接続されたプレート状の第１部材(21)と、両面にろう材層を有するアルミニウムブレージングシートにプレス加工を施すことにより形成されかつ第１部材(21)の上側（熱交換管(15)とは反対側）を覆う第２部材(22)と、両面にろう材層を有するアルミニウムブレージングシートまたはアルミニウムベア材にプレス加工を施すことにより形成されかつ第１部材(21)と第２部材(22)との間に配置されて冷媒入口ヘッダ部(5)内および冷媒出口ヘッダ部(6)内をそれぞれ上下２つの空間(5a)(5b)(6a)(6b)に仕切る平坦な仕切板(23)（板状仕切部材）と、アルミニウムベア材にプレス加工を施すことにより形成されかつ第１部材(21)、第２部材(22)および仕切板(23)を仮止めする仮止め部材(24)と、両面にろう材層を有するアルミニウムブレージングシートにプレス加工を施すことにより形成されかつ第１部材(21)、第２部材(22)および仕切板(23)の左右両端にろう付されたアルミニウム製端部材(25)(26)とよりなり、右端部材(26)の外面に、冷媒入口ヘッダ部(5)および冷媒出口ヘッダ部(6)に跨るように、前後方向に長いアルミニウム製のジョイントプレート(27)がろう付されている。ジョイントプレート(27)に、冷媒入口管(8)および冷媒出口管(9)が接続されている。なお、ジョイントプレート(27)は、アルミニウムベア材にプレス加工を施すことにより形成されている。ここでは、冷媒入口ヘッダ部(5)内の上側の空間(5a)が、冷媒が流入する第１の空間であり、下側の空間(5b)が、その内部に熱交換管(15)が臨む第２の空間である。
【００３５】
第１部材(21)は、冷媒入口ヘッダ部(5)の下部を形成する下方膨出状の第１ヘッダ形成部(28)（冷媒入口ヘッダ部(5)の第１部材）と、冷媒出口ヘッダ部(6)の下部を形成する下方膨出状の第２ヘッダ形成部(29)（冷媒出口ヘッダ部(6)の第１部材）と、第１ヘッダ形成部(28)の後側縁部と第２ヘッダ形成部(29)の前側縁部とを連結しかつ連結部(7)の下部を形成する連結壁(31)とよりなる。第１ヘッダ形成部(28)は、水平平坦状の底壁(32)と、底壁(32)の前後両側縁部に一体に形成された前後両側壁(33)(34)とからなる。前側壁(33)は、底壁(32)の前縁に連なりかつ上方に向かって前方に傾斜した傾斜部(33a)と、傾斜部(33a)の上縁に連なって上方に伸びた垂直部(33b)とよりなる。後側壁(34)は、上方に向かって後方に傾斜しかつその上端部が垂直状となっている。前側壁(33)の上端は後側壁(34)の上端よりも上方に位置している。第２ヘッダ形成部(29)は、第１ヘッダ形成部(28)とは左右対称形であって、水平平坦状底壁(35)と、底壁(35)の後側縁部および前側縁部に一体に形成された後側壁(36)および前側壁(37)とからなる。後側壁(36)は、底壁(35)の後縁に連なりかつ上方に向かって後方に傾斜した傾斜部(36a)と、傾斜部(36a)の上縁に連なった垂直部(36b)とよりなる。前側壁(37)は、上方に向かって前方に傾斜しかつその上端部が垂直状となっている。後側壁(36)の上端は前側壁(37)の上端よりも上方に位置している。そして、第１ヘッダ形成部(28)の後側壁(34)上縁と第２ヘッダ形成部(29)の前側壁(37)上縁とが連結壁(31)により一体に連結されている。
【００３６】
第１部材(21)の両ヘッダ形成部(28)(29)に、それぞれ前後方向に長い複数の管挿通穴(38)が、左右方向に間隔をおきかつ左右方向に関して同一位置に来るように形成されている。第１ヘッダ形成部(28)の管挿通穴(38)は前側壁(33)の傾斜部(33a)から後側壁(34)にかけて形成され、第２ヘッダ形成部(29)の管挿通穴(38)は後側壁(34)の傾斜部(36a)から前側壁(35)にかけて形成されている。両ヘッダ形成部(28)(29)の管挿通穴(38)に、熱交換コア部(4)の前後両熱交換管群(16)の熱交換管(15)の上端部が挿入され、第１部材(21)のろう材層を利用して第１部材(21)にろう付されており、これにより前側熱交換管群(16)の熱交換管(15)の上端部が冷媒入口ヘッダ部(5)に、後側熱交換管群(16)の熱交換管(15)の上端部が冷媒出口ヘッダ部(6)にそれぞれ連通状に接続されている。第１部材(21)の連結壁(31)に、左右方向に長い複数の排水用貫通穴(39)が左右方向に間隔をおいて形成されている。また、第１部材(21)の連結壁(31)に、複数の固定用貫通穴(41)が、排水用貫通穴(39)からずれた位置に来るように左右方向に間隔をおいて形成されている。ここでは、排水用貫通穴(39)と固定用貫通穴(41)とが交互に形成されている。
【００３７】
第２部材(22)は、冷媒入口ヘッダ部(5)の上部を形成する上方膨出状の第１ヘッダ形成部(42)（冷媒入口ヘッダ部(5)の第２部材）と、冷媒出口ヘッダ部(6)の上部を形成する上方膨出状の第２ヘッダ形成部(43)（冷媒出口ヘッダ部(6)の第２部材）と、第１ヘッダ形成部(42)の後側縁部と第２ヘッダ形成部(43)の前側縁部とを連結し、かつ連結部(7)の上部を形成する連結壁(44)とよりなる。第１ヘッダ形成部(42)および第２ヘッダ形成部(43)の横断面形状は、それぞれ下方に開口するとともに、前後方向中央部が上方に突出した横断面略Ｕ字状であり、両ヘッダ形成部(42)(43)に、それぞれその前後方向外側部分から同内側部分に至る帯状の内方突出部(45)が、その長さ方向に間隔をおいて複数形成されている。また、連結壁(44)における第１部材(21)の各排水用貫通穴(39)と合致した位置に排水用貫通穴(46)が形成され、同じく固定用貫通穴(41)と合致した位置に固定用貫通穴(47)が形成されている。
【００３８】
仕切板(23)は、冷媒入口ヘッダ部(5)内を上下２つの空間(5a)(5b)に仕切る前側仕切部(48)（冷媒入口ヘッダ部(5)の板状仕切部材）と、冷媒出口ヘッダ部(6)内を上下２つの空間(6a)(6b)に仕切る後側仕切部(49)（冷媒出口ヘッダ部(6)の板状仕切部材）と、両仕切部(48)(49)を連結し、かつ第１部材(21)および第２部材(22)の連結壁(31)(44)に挟着されて両連結壁(31)(44)にろう付された連結壁(51)とよりなる。
【００３９】
仕切板(23)の前側仕切部(48)の左端部（冷媒入口(77)とは反対側の端部）における左端部に配置された熱交換管(15)よりも左側の部分には、平面から見て前後方向に長くかつ冷媒入口ヘッダ部(5)内の上下２つの空間(5a)(5b)を通じさせる連通口(52)が形成されている。前側仕切部(48)における連通口(52)の左側縁部に、下側空間(5b)側に突出し、かつ冷媒を右側に案内するガイド部(59)が一体に形成されている。図７および図８に示すように、ガイド部(59)は、下側（熱交換管(15)側）に向かって右側（冷媒入口(77)側）に傾斜した案内用の傾斜部(59a)と、傾斜部(59a)の先端に連なって右側にのびる水平部(59b)と、前側仕切部(48)における連通口(52)の前後両側縁部に、下方に向かって前後方向内方に傾斜するように一体に形成され、かつ傾斜部(59a)および水平部(59b)の前後両側縁部を前側仕切部(48)に連結する連結部(59c)とよりなる。ガイド部(59)の水平部(59b)の先端（右端）は、仕切板(23)の前側仕切部(48)に形成された連通口(52)の右側縁のほぼ真下に位置している。なお、ここでは、ガイド部(59)の水平部(59b)の上面は、熱交換管(15)の上端とほぼ同一高さ位置にある。
【００４０】
前側仕切部(48)の前後方向の中間部には、冷媒入口ヘッダ部(5)の上下両空間(5a)(5b)を通じさせる複数の冷媒通過用円形貫通穴(53)が、左右方向に間隔をおいて形成されている。前側仕切部(48)の下面（熱交換管(15)側を向いた面）における貫通穴(53)の周囲の部分に、下方（熱交換管(15)側）に突出した短円筒状のフランジ(54)が一体に形成されている。貫通穴(53)およびフランジ(54)は、隣り合う２本の熱交換管(15)どうしの間に形成されている。また、仕切板(23)の後側仕切部(49)の左右両端部を除いた部分には、左右方向に長くかつ冷媒出口ヘッダ部(6)の上下両空間(6a)(6b)を通じさせる複数の冷媒通過用長円形貫通穴(55A)(55B)が、左右方向に間隔をおいて形成されている。後側仕切部(49)の上面における貫通穴(55A)(55B)の周囲の部分に、上方に突出した短筒状のフランジ(56A)(56B)が一体に形成されている。中央部の長円形貫通穴(55A)の長さは他の長円形貫通穴(55B)の長さよりも短く、隣り合う熱交換管(15)間に位置している。また、仕切板(23)の連結壁(51)における第１および第２部材(21)(22)の各排水用貫通穴(39)(46)と合致した位置に排水用貫通穴(62)が形成され、同じく固定用貫通穴(41)(47)と合致した位置に固定用貫通穴(63)が形成されている。
【００４１】
仕切板(23)の前後両側縁部、すなわち前側仕切部(48)の前側縁部および後側仕切部(49)の後側縁部に、上方に開口しかつ左右方向にのびる嵌入溝(57)が全長にわたって形成されており、第２部材(22)の第１ヘッダ形成部(42)の前側壁の下端部および第２ヘッダ形成部(43)の後側壁の下端部がそれぞれ嵌入溝(57)内に嵌め入れられた状態で、第２部材(22)と仕切板(23)とがろう付されている。仕切板(23)の前後両嵌入溝(57)における前後方向外側壁(57a)は同内側壁よりも上方に突出するとともに、その上縁に前後方向外方に突出した凸条(58)が全長にわたって一体に形成されており、第１部材(21)の第１ヘッダ形成部(28)の前側壁(33)の垂直部(33b)および第２ヘッダ形成部(29)の後側壁(36)の垂直部(36b)が、それぞれ嵌入溝(57)の前後方向外側壁(57a)の外面に沿わされるとともに、両垂直部(33b)(36b)の上端が凸条(58)に当接した状態で、第１部材(21)と仕切板(23)とがろう付されている。
【００４２】
そして、第１部材(21)の第１ヘッダ形成部(28)と第２部材(22)の第１ヘッダ形成部(42)と仕切板(23)の前側仕切部(48)とにより入口ヘッダ部本体(60)が形成され、第１部材(21)の第２ヘッダ形成部(29)と、第２部材(22)の第２ヘッダ形成部(43)と、仕切板(23)の後側仕切部(49)とにより出口ヘッダ部本体(61)が形成されている。
【００４３】
仮止め部材(24)は左右方向に長い垂直帯板状であり、その下縁における第１部材(21)、第２部材(22)および仕切板(23)の固定用貫通穴(41)(47)(63)と対応する部分に、それぞれ下方に突出しかつこれらの固定用貫通穴(41)(47)(63)に挿通されて連結壁(41)(44)(51)にろう付された突起(64)が形成されている。また、仮止め部材(24)における第１部材(21)、第２部材(22)および仕切板(23)の排水用貫通穴(39)(46)(62)と対応する部分に、その下縁から切り欠き(65)が形成されている。切り欠き(65)の開放部の左右方向の幅は排水用貫通穴(39)(46)(62)の左右方向の長さと等しくなっている。仮止め部材(24)は、アルミニウムベア材からなる板にプレス加工を施して突起(64)および切り欠き(65)を形成することによりつくられている。
【００４４】
左端部材(25)は、入口ヘッダ部本体(60)の左端開口を閉鎖する前キャップ(25a)と、出口ヘッダ部本体(61)の左端開口を閉鎖する後キャップ(25b)とが連結部(25c)を介して一体化されたものであり、前キャップ(25a)には、入口ヘッダ部本体(60)における仕切板(23)の前側仕切部(48)よりも上側の空間(5a)内に嵌め入れられる上側右方突出部(66)と、前側仕切部(48)よりも下側の空間(5b)内に嵌め入れられる下側右方突出部(67)とが上下に間隔をおいて一体に形成され、同じく後キャップ(25b)には、出口ヘッダ部本体(61)における仕切板(23)の後側仕切部(49)よりも上側の空間(6a)内に嵌め入れられる上側右方突出部(68)と、後側仕切部(49)よりも下側の空間(6b)内に嵌め入れられる下側右方突出部(69)とが上下に間隔をおいて一体に形成されている。また、左端部材(25)の前後両側縁と上縁および下縁との間の連接部に、それぞれ右方に突出して第１および第２部材(21)(22)に係合する係合爪(71)が一体に形成されている。左端部材(25)は、自身のろう材層を利用して両部材(21)(22)および仕切板(23)にろう付されている。そして、仕切板(23)の前側仕切部(48)の左端部が、左端部材(25)の前キャップ(25a)の上側右方突出部(66)と下側右方突出部(67)との間に嵌め入れられて左端部材(25)の前キャップ(25a)にろう付されている（図６および図７参照）。また、仕切板(23)の後側仕切部(49)の左端部が、左端部材(25)の後キャップ(25b)の上側右方突出部(68)と下側右方突出部(69)との間に嵌め入れられて左端部材(25)の後キャップ(25b)にろう付されている（図２参照）。さらに、仕切板(23)の連結部(51)の左端部は、左端部材(25)の連結部(25c)に当接状態でろう付されている。
【００４５】
右端部材(26)は、入口ヘッダ部本体(60)の右端開口を閉鎖する前キャップ(26a)と、出口ヘッダ部本体(61)の右端開口を閉鎖する後キャップ(26b)とが連結部(26c)を介して一体化されたものである。右端部材(26)の前キャップ(26a)には、入口ヘッダ部本体(60)内における仕切板(23)の前側仕切部(48)よりも上側の空間(5a)内に嵌め入れられる上側左方突出部(73)と、前側仕切部(48)よりも下側の空間(5b)内に嵌め入れられる下側左方突出部(74)とが上下に間隔をおいて一体に形成され、同じく後キャップ(26b)には、出口ヘッダ部本体(61)内における仕切板(23)の後側仕切部(49)よりも上側の空間(6a)内に嵌め入れられる上側左方突出部(75)と、後側仕切部(49)よりも下側の空間(6b)内に嵌め入れられる下側左方突出部(76)とが上下に間隔をおいて一体に形成されている。右端部材(26)の前キャップ(26a)の上側左方突出部(73)の突出端壁に冷媒入口(77)が形成され、同じく後キャップ(26b)の上側左方突出部(75)の突出端壁に冷媒出口(78)が形成されている。右端部材(26)の前後両側縁と上縁との間の連接部、および下縁の前後両側部分に、それぞれ左方に突出して第１および第２部材(21)(22)に係合する係合爪(79)が一体に形成されている。
【００４６】
図９〜図１１に示すように、右端部材(26)の連結部(26c)の上端における前後方向の中央部に上方に突出した第１係合雄部(81)が一体に形成され、同じく連結部(26c)の下端部における前後方向の中央部に下方に突出した第２係合雄部(82)が一体に形成されている。第２係合雄部(82)は、エバポレータ(1)を製造するにあたって、右端部材(26)をジョイントプレート(27)に組み合わせる前の状態においては、右側方に突出している。右側方に突出した第２係合雄部を(82A)で示す（図１１鎖線参照）。さらに、右端部材(26)の下縁部の前後両端部には、それぞれ切り欠き(80)が形成されている。右端部材(26)は、自身のろう材層を利用して両部材(21)(22)および仕切板(23)にろう付されている。そして、仕切板(23)の前側仕切部(48)の右端部が、右端部材(26)の前キャップ(26a)の上側左方突出部(73)と下側左方突出部(74)との間に嵌め入れられて右端部材(26)の前キャップ(26a)にろう付されている（図６参照）。また、仕切板(23)の後側仕切部(49)の右端部が、右端部材(26)の後キャップ(26b)の上側左方突出部(75)と下側左方突出部(76)との間に嵌め入れられて右端部材(26)の後キャップ(26b)にろう付されている（図２参照）。さらに、仕切板(23)の連結部(51)の右端部は、右端部材(26)の連結部(26c)に当接状態でろう付されている（図１０参照）。
【００４７】
ジョイントプレート(27)は、右端部材(26)の冷媒入口(77)に通じる短円筒状冷媒流入口(83)と、同じく冷媒出口(78)に通じる短円筒状冷媒流出口(84)とを備えている。冷媒流入口(83)および冷媒流出口(84)は、それぞれ円形貫通穴と、貫通穴の周囲に右方突出状に一体に形成された短円筒状部とよりなる。
【００４８】
ジョイントプレート(27)における冷媒流入口(83)と冷媒流出口(84)との間の部分には、上下方向に伸びる短絡防止用のスリット(85)が形成されるとともに、スリット(85)の上下両端に連なって略台形状の貫通穴(86)(87)が形成されている。また、ジョイントプレート(27)における上側貫通穴(86)の上方部分および下側貫通穴(87)の下方部分は、それぞれ左方に突出するようにＵ字状に屈曲されて第１および第２係合雌部(88)(89)が形成されている。第１係合雌部(88)には、右端部材(26)の第１係合雄部(81)が下方から挿通させられて第１係合雌部(88)に係合させられているとともに、第２係合雌部(89)には、右端部材(26)の第２係合雄部(82)が上方から挿通させられて第２係合雌部(89)に係合させられており、これによりジョイントプレート(27)の左右方向の移動が阻止されている。右端部材(26)の第２係合雄部(82)は、図１１に鎖線で示す右側方に突出した状態で下側の貫通穴(87)に通された後下方に曲げられることによって、第２係合雌部(89)に上方から挿通させられることになる。また、第１係合雌部(88)は、右端部材(26)の連結部(26c)における第１係合雄部(81)の前後両側部分に係合しており、これによりジョイントプレート(27)の下方への移動が阻止されている。さらに、ジョイントプレート(27)の下縁の前後両端部には、それぞれ左方に突出した係合爪(91)が一体に形成されているとともに、この係合爪(91)が右端部材(26)の下縁に形成された切り欠き(80)内に嵌った状態で右端部材(26)に係合しており、これによりジョイントプレート(27)の上方および前後方向への移動が阻止されている。このように、ジョイントプレート(27)は、左右方向、上下方向および前後方向の移動が阻止されるように右端部材(26)に係合させられた状態で、右端部材(26)のろう材層を利用して右端部材(26)にろう付されている。
【００４９】
ジョイントプレート(27)の冷媒流入口(83)に、冷媒入口管(8)の一端部に形成された縮径部が差し込まれてろう付され、同じく冷媒流出口(84)に、冷媒出口管(9)の一端部に形成された縮径部が差し込まれてろう付されている。図示は省略したが、冷媒入口管(8)および冷媒出口管(9)の他端部には、両管(8)(9)に跨るように膨張弁取付部材が接合されている。
【００５０】
図２、図３、図１２および図１３に示すように、冷媒ターン用ヘッダタンク(3)は、両面にろう材層を有するアルミニウムブレージングシートにプレス加工を施すことにより形成されかつすべての熱交換管(15)が接続されたプレート状の第１部材(92)と、両面にろう材層を有するアルミニウムブレージングシートにプレス加工を施すことにより形成されかつ第１部材(92)の下側（熱交換管(15)とは反対側）を覆う第２部材(93)と、両面にろう材層を有するアルミニウムブレージングシートまたはアルミニウムベア材にプレス加工を施すことにより形成されかつ第１部材(92)と第２部材(93)との間に配置されて第１中間ヘッダ部(11)内および第２中間ヘッダ部(12)内をそれぞれ上下２つの空間(11a)(11b)(12a)(12b)に仕切る仕切板(94)と、アルミニウムベア材にプレス加工を施すことにより形成されかつ第１部材(92)、第２部材(93)および仕切板(94)を仮止めする仮止め部材(95)と、両面にろう材層を有するアルミニウムブレージングシートにプレス加工を施すことにより形成されかつ第１部材(92)、第２部材(93)および仕切板(94)の左右両端にろう付されたアルミニウム製端部材(96)(97)と、右端部材(97)の外面に、第１中間ヘッダ部(11)および第２中間ヘッダ部(12)にまたがるようにろう付された前後方向に長いアルミニウムベア材製の連通部材(98)とよりなり、連通部材(98)を介して第１中間ヘッダ部(11)と第２中間ヘッダ部(12)とが右端部で連通させられている。
【００５１】
第１部材(92)は、冷媒入出用ヘッダタンク(2)の第１部材(21)と同一構成であるとともに第１部材(21)とは上下逆向きに配置されたものであり、同一部分には同一符号を付す。ここで、第１ヘッダ形成部(28)は第１中間ヘッダ部(11)の上部を形成し、第２ヘッダ形成部(29)は第２中間ヘッダ部(12)の上部を形成する。管挿通穴(38)に、熱交換コア部(4)の前後両熱交換管群(16)の熱交換管(15)の下端部が挿入され、第１部材(92)のろう材層を利用して第１部材(92)にろう付されており、これにより前側熱交換管群(16)の熱交換管(15)の下端部が第１中間ヘッダ部(11)に、後側熱交換管群(16)の熱交換管(15)の下端部が第２中間ヘッダ部(12)にそれぞれ連通状に接続されている。
【００５２】
第２部材(93)は、冷媒入出用ヘッダタンク(2)の第２部材(22)と同一構成であるとともに第２部材(93)とは上下逆向きに配置されたものであり、同一部分には同一符号を付す。ここで、第１ヘッダ形成部(42)は第１中間ヘッダ部(11)の下部を形成し、第２ヘッダ形成部(43)は第２中間ヘッダ部(12)の下部を形成する。
【００５３】
仕切板(94)（板状仕切部材）は、前後の仕切部(48)(49)の構成を除いては、冷媒入出用ヘッダタンク(2)の仕切板(23)と同一構成であるとともに仕切板(23)とは上下逆向きに配置されてものであり、同一部分には同一符号を付す。ここで、第１中間ヘッダ部(11)内を上下２つの空間(11a)(11b)に仕切る前側仕切部(48)には、左右方向に長い比較的大きな複数の長方形状貫通穴(101)が、左右方向に間隔をおいて形成されている。また、第２中間ヘッダ部(12)内を上下２つの空間(12a)(12b)に仕切る後側仕切部(49)の後側部分には、複数の円形冷媒通過用貫通穴(102)が左右方向に間隔をおいて貫通状に形成されている。隣り合う円形冷媒通過用貫通穴(102)間の間隔は、右端部から遠ざかるにつれて徐々に大きくなっている。後側仕切部(49)の上面（熱交換管(15)側を向いた面）における貫通穴(102)の周囲の部分に、上方（熱交換管(15)側）に突出した短円筒状のフランジ(103)が一体に形成されている。貫通穴(102)およびフランジ(103)は、隣り合う２本の熱交換管(15)どうしの間に形成されている。なお、隣り合う円形冷媒通過用貫通穴(102)間の間隔は、すべて等しくなっていてもよい。
【００５４】
そして、第１および第２部材(92)(93)と仕切板(94)とは、冷媒入出用ヘッダタンク(2)の第１および第２部材(21)(22)と仕切板(23)の場合と同様に組み合わされてろう付されており、第１部材(92)の第１ヘッダ形成部(28)と第２部材(93)の第１ヘッダ形成部(42)と仕切板(94)の前側仕切部(48)とによって、両端が開口した中空状の第１中間ヘッダ部本体(104)が形成され、第１部材(92)の第２ヘッダ形成部(29)と第２部材(93)の第２ヘッダ形成部(43)と仕切板(94)の後側仕切部(49)とによって、両端が開口した中空状の第２中間ヘッダ部本体(105)が形成されている。
【００５５】
仮止め部材(95)は左右方向に長い垂直帯板状であり、その上縁における第１部材(92)、第２部材(93)および仕切板(94)の固定用貫通穴(41)(47)(63)と対応する部分に、それぞれ上方に突出しかつこれらの固定用貫通穴(41)(47)(63)に挿通されて連結壁(41)(44)(51)にろう付された突起(106)が形成されている。また、仮止め部材(95)における第１部材(92)、第２部材(93)および仕切板(94)の排水用貫通穴(39)(46)(62)と対応する部分に、その上縁から切り欠き(107)が形成されている。切り欠き(107)の開放部の左右方向の幅は排水用貫通穴(39)(46)(62)の左右方向の長さと等しくなっている。仮止め部材(95)の前後両面に、それぞれ切り欠き(107)の下端部に連なるように上下方向に伸びかつ下端部が仮止め部材(95)の下端面に開口した排水補助溝(108)が形成されている。仮止め部材(95)は、アルミニウムベア材からなる板にプレス加工を施して突起(106)、切り欠き(107)および排水補助溝(108)を形成することによりつくられている。
【００５６】
左端部材(96)は、冷媒入出用ヘッダタンク(2)の左端部材(25)と上下逆向きであって、第１中間ヘッダ部本体(104)の左端開口を閉鎖する前キャップ(96a)と、第２中間ヘッダ部本体(105)の左端開口を閉鎖する後キャップ(96b)とが連結部(96c)を介して一体化されたものであり、前キャップ(96a)には、第１中間ヘッダ部本体(104)における仕切板(94)の前側仕切部(48)よりも上側の空間(11a)内に嵌め入れられる上側右方突出部(109)と、前側仕切部(48)よりも下側の空間(11b)内に嵌め入れられる下側右方突出部(111)とが上下に間隔をおいて一体に形成され、同じく後キャップ(96b)には、第２中間ヘッダ部本体(105)における仕切板(94)の後側仕切部(49)よりも上側の空間(12a)内に嵌め入れられる上側右方突出部(112)と、後側仕切部(49)よりも下側の空間(12b)内に嵌め入れられる下側右方突出部(113)とが上下に間隔をおいて一体に形成されている。また、左端部材(96)の前後両側縁と上縁および下縁との間の連接部に、それぞれ右方に突出して第１および第２部材(92)(93)に係合する係合爪(114)が一体に形成されている。左端部材(96)は、自身のろう材層を利用して両部材(92)(93)および仕切板(94)にろう付されている。そして、仕切板(94)の前側仕切部(48)の左端部が、左端部材(96)の前キャップ(96a)の上側右方突出部(109)と下側右方突出部(111)との間に嵌め入れられて左端部材(96)の前キャップ(96a)にろう付されている。また、仕切板(94)の後側仕切部(49)の左端部が、左端部材(96)の後キャップ(96b)の上側右方突出部(112)と下側右方突出部(113)との間に嵌め入れられて左端部材(96)の後キャップ(96b)にろう付されている（図２参照）。さらに、仕切板(94)の連結部(51)の左端部は、左端部材(96)の連結部(96c)に当接状態でろう付されている。
【００５７】
右端部材(97)は、第１中間ヘッダ部本体(104)の右端開口を閉鎖する前キャップ(97a)と、第２中間ヘッダ部本体(105)の右端開口を閉鎖する後キャップ(97b)とが連結部(97c)を介して一体化されたものであり、前キャップ(97a)には、第１中間ヘッダ部本体(104)における仕切板(94)の前側仕切部(48)よりも上側の空間(11a)内に嵌め入れられる上側左方突出部(115)と、前側仕切部(48)よりも下側の空間(11b)内に嵌め入れられる下側左方突出部(116)とが上下に間隔をおいて一体に形成され、同じく後キャップ(97b)には、第２中間ヘッダ部本体(105)における仕切板(94)の後側仕切部(49)よりも上側の空間(12a)内に嵌め入れられる上側左方突出部(117)と、後側仕切部(49)よりも下側の空間(12b)内に嵌め入れられる下側左方突出部(118)とが上下に間隔をおいて一体に形成されている。また、右端部材(97)の前後両側縁と上縁および下縁との間の連接部に、それぞれ左方に突出して第１および第２部材(92)(93)に係合する係合爪(119)が一体に形成されている。
【００５８】
また、右端部材(97)の上縁の前後両端部に、それぞれ右方に突出しかつ下方に屈曲させられて連通部材(98)の上縁部に係合させられた係合爪(121)が一体に形成されるとともに、右端部材(97)の下縁の前後方向中央部に、右方に突出しかつ上方に屈曲させられて連通部材(98)の下縁部に係合させられた係合爪(122)が一体に形成されている。なお、図１２においては、係合爪(121)(122)は、曲げられる前の上下方向に真っ直ぐな状態で示されている。右端部材(97)の前キャップ(97a)の下側左方突出部(116)の突出端壁に、第１中間ヘッダ部(11)の前側仕切部(48)よりも下側の空間(11b)から冷媒を流出させる冷媒流出口(123)が形成され、同じく後キャップ(97b)の下側左方突出部(118)の突出端壁に、第２中間ヘッダ部(12)の後側仕切部(49)よりも下側の空間(12b)内に冷媒を流入させる冷媒流入口(124)が形成されている。また、後キャップ(97b)の下側左方突出部(118)における冷媒流入口(124)の周縁部の下側部分に、第２中間ヘッダ部(12)内方に向かって上方に傾斜または湾曲、ここでは湾曲したガイド部(125)が一体に形成されている。ガイド部(125)は、第２中間ヘッダ部(12)の後側仕切部(49)よりも下側の空間(12b)内に流入する冷媒を、上側に案内する。右端部材(97)は、自身のろう材層を利用して第１および第２部材(92)(93)および仕切板(94)にろう付されている。そして、仕切板(94)の前側仕切部(48)の右端部が、右端部材(97)の前キャップ(97a)の上側左方突出部(115)と下側左方突出部(116)との間に嵌め入れられて右端部材(97)の前キャップ(97a)にろう付されている。また、仕切板(94)の後側仕切部(49)の右端部が、右端部材(97)の後キャップ(97b)の上側左方突出部(117)と下側左方突出部(118)との間に嵌め入れられて右端部材(97)の後キャップ(97b)にろう付されている（図２参照）。さらに、仕切板(94)の連結部(51)の右端部は、右端部材(97)の連結部(97c)に当接状態でろう付されている。
【００５９】
連通部材(98)はアルミニウムベア材にプレス加工を施すことにより形成されたものであり、外形が右方から見て右端部材(97)と同形同大となっているプレート状であって、その周縁部が右端部材(97)の外面に、右端部材(97)のろう材層を利用してろう付されている。連通部材(98)には、右端部材(97)の冷媒流出口(123)と冷媒流入口(124)とを通じさせるように外方膨出部(126)が形成されている。外方膨出部(126)の内部が、右端部材(97)の冷媒流出口(123)と冷媒流入口(124)とを通じさせる連通路となっている。また、連通部材(98)の上縁の前後両端部および下縁の前後方向の中央部には、それぞれ右端部材(97)の係合爪(121)(122)が嵌る切り欠き(127)が形成されている。
【００６０】
上述したエバポレータ(1)は、入口管(8)および出口管(9)を除いたすべての部品が組み合わされて一括ろう付されることにより製造される。
【００６１】
エバポレータ(1)は、コンプレッサおよび冷媒冷却器としてのコンデンサとともに、フロン系冷媒を使用する冷凍サイクルを構成し、カーエアコンとして車両、たとえば自動車に搭載される。
【００６２】
上述したエバポレータ(1)においては、コンプレッサのオン時には、コンプレッサ、コンデンサおよび膨張弁を通過した気液混相の２相冷媒が、冷媒入口管(8)からジョイントプレート(27)の冷媒流入口(83)および右端部材(26)の前キャップ(26a)の冷媒入口(77)を通って冷媒入出用ヘッダタンク(2)の冷媒入口ヘッダ部(5)の上側空間(5a)内に入る。冷媒入口ヘッダ部(5)の上側空間(5a)内に入った冷媒は左方に流れ、連通口(52)を通って下側空間(5b)内に入るとともに、仕切板(23)の前側仕切部(48)の貫通穴(53)を通って下側空間(5b)内に入る。冷媒が、上側空間(5a)から連通口(52)を通って下側空間(5b)内に入る際に、ガイド部(59)に案内されて右端部側にスムーズに流れる。したがって、冷媒が、流れの勢いによって冷媒入口ヘッダ部(5)の第１部材(21)の熱交換管(15)が接続されている第１ヘッダ形成部(28)の底壁(32)、前側壁(33)および後側壁(34)における連通口(52)のほぼ真下の部分（連通口(52)と対応する部分）に衝突して前側仕切部(48)側に跳ね返ることが防止される。その結果、冷媒は、左端部に位置する数本の熱交換管(15)内にも流入し易くなり、冷媒量が多い場合であっても、エバポレータ(1)を通過してきた空気の温度である吐気温が左端部においても均一化され、吐気温のさらなる均一化を図ることが可能になる。
【００６３】
下側空間(5b)内に入った冷媒は、分流して前側熱交換管群(16)の熱交換管(15)の冷媒通路内に流入する。熱交換管(15)の冷媒通路内に流入した冷媒は、冷媒通路内を下方に流れて冷媒ターン用ヘッダタンク(3)の第１中間ヘッダ部(11)の上側空間(11a)内に入る。第１中間ヘッダ部(11)の上側空間(11a)内に入った冷媒は、仕切板(94)の前側仕切部(48)の貫通穴(101)を通って下側空間(11b)内に入り、下側空間(11b)内を右方に流れ、右端部材(97)の前キャップ(97a)の冷媒流出口(123)、連通部材(98)の外方膨出部(126)内の連通路および後キャップ(97b)の冷媒流入口(124)を通ることにより、流れ方向を変えるようにターンして第２中間ヘッダ部(12)の下側空間(12b)内に入る。
【００６４】
第２中間ヘッダ部(12)の下側空間(12b)内に入った冷媒は左方に流れ、仕切板(94)の後側仕切部(49)の貫通穴(102)を通って上側空間(12a)内に入り、分流して後側熱交換管群(16)の熱交換管(15)の冷媒通路内に流入する。このとき、冷媒は、ガイド部(125)に案内されて左斜め上方、すなわち下側空間(12b)の内方に向かって後側仕切部(49)側に流れることになり、その結果後側仕切部(49)に形成された隣り合う貫通穴(102)間の間隔が、右端部から遠ざかるにつれて徐々に大きくなっていることと相俟って、貫通穴(102)を通って上側空間(12a)内に流入する冷媒の左右方向の分布が、ガイド部(125)がない場合に比較して均一化される。したがって、冷媒は第２中間ヘッダ部(12)に接続されている熱交換管(15)に均一に分流しやすくなり、熱交換コア部(4)における冷媒の分布の偏りが生じにくくなり、熱交換コア部(4)を通過してきた空気の温度も均一化されて熱交換性能が向上する。
【００６５】
熱交換管(15)の冷媒通路内に流入した冷媒は、流れ方向を変えて冷媒通路内を上方に流れて冷媒出口ヘッダ部(6)の下側空間(6b)内に入り、仕切板(23)の後側仕切部(49)の貫通穴(55A)(55B)を通って上側空間(6a)内に入る。
【００６６】
冷媒出口ヘッダ部(6)の上側空間(6a)内に入った冷媒は右方に流れ、右端部材(26)の後キャップ(26b)の冷媒出口(78)およびジョイントプレート(27)の冷媒流出口(84)を通り、冷媒出口管(9)に流出する。
【００６７】
そして、冷媒が前後両熱交換管群(16)の熱交換管(15)の冷媒通路を流れる間に、熱交換コア部(4)の通風間隙を通過する空気と熱交換をし、冷媒は気相となって流出する。
【００６８】
図１４〜図１７は、仕切板(23)のガイド部の変形例を示す。
【００６９】
図１４に示すガイド部(130)は、下側（熱交換管(15)側）に向かって右側（冷媒入口(77)側）に傾斜した案内用の傾斜部(130a)と、傾斜部(130a)の先端に連なって右側にのびる水平部(130b)と、前側仕切部(48)における連通口(52)の前後両側縁部に、下方に向かって左右方向内方に傾斜するように一体に形成され、かつ傾斜部(130a)および水平部(130b)の前後両側縁部を前側仕切部(48)に連結する連結部(130c)とよりなる。ガイド部(130)の水平部(130b)の先端（右端）は、仕切板(23)の前側仕切部(48)に形成された連通口(52)の右側縁よりも右方（冷媒入口側）に位置している。なお、ここでは、ガイド部(130)の水平部(130b)の上面は、熱交換管(15)の上端と同一高さ位置にある。
【００７０】
図１５に示すガイド部(135)は、下側（熱交換管(15)側）に向かって右側（冷媒入口(77)側）に傾斜した案内用の傾斜部(135a)と、前側仕切部(48)における連通口(52)の前後両側縁部に、下方に向かって左右方向内方に傾斜するように一体に形成され、かつ傾斜部(135a)の前後両側縁部を前側仕切部(48)に連結する連結部(135c)とよりなる。ガイド部(135)の傾斜部(135a)の先端（右端）は、仕切板(23)の前側仕切部(48)に形成された連通口(52)の右側縁のほぼ真下に位置している。
【００７１】
なお、図示は省略したが、図１４および図１５に示すガイド部(130)(135)の右方から見た形状は、上述した実施形態のガイド部(59)の形状と同じである（図８参照）。
【００７２】
図１６および図１７に示すガイド部(140)は、下側（熱交換管(15)側）に向かって右側（冷媒入口(77)側）に傾斜した案内用の湾曲部(140a)を備えている。この湾曲部(140a)を右方から見た形状は、前後方向中央部が下方に突出した円弧状であり、湾曲部(140a)の前後両側縁部は、前側仕切部(48)における連通口(52)の前後両側縁部に連なっている。
【００７３】
上記実施形態においては、冷媒入出用ヘッダタンク(2)が上、冷媒ターン用ヘッダタンク(3)が下となっているが、これとは逆に、冷媒入出用ヘッダタンク(2)が下、冷媒ターン用ヘッダタンク(3)が上にくるように用いられる場合がある。また、上記実施形態においては、両ヘッダタンク(2)(3)の冷媒入口ヘッダ部(5)と第１中間ヘッダ部(11)との間、および冷媒出口ヘッダ部(6)と第２中間ヘッダ部(12)との間にそれぞれ１つの熱交換管群(16)が設けられているが、これに限るものではなく、両ヘッダタンク(2)(3)の冷媒入口ヘッダ部(5)と第１中間ヘッダ部(11)との間、および冷媒出口ヘッダ部(6)と第２中間ヘッダ部(12)との間にそれぞれ１または２以上の熱交換管群(16)が設けられていてもよい。
【００７４】
さらに、上記実施形態においては、この発明による熱交換器が、フロン系冷媒を使用するカーエアコンのエバポレータに適用されているが、これに限定されるものではなく、コンプレッサ、冷媒冷却器としてのガスクーラ、中間熱交換器、膨張弁およびエバポレータを有しかつＣＯ２冷媒のような超臨界冷媒を使用するカーエアコンを備えた車両、たとえば自動車において、カーエアコンのエバポレータに適用されることがある。
【図面の簡単な説明】
【００７５】
【図１】この発明による熱交換器を適用したエバポレータの全体構成を示す一部切り欠き斜視図である。
【図２】図１に示すエバポレータを後方から見た際の中間部を省略した垂直断面図である。
【図３】一部を省略した図２のＡ−Ａ線拡大断面図である。
【図４】図２のＢ−Ｂ線断面図である。
【図５】図１に示すエバポレータの冷媒入出用ヘッダタンクの部分の分解斜視図である。
【図６】一部を省略した図４のＣ−Ｃ線断面図である。
【図７】図６の要部拡大図である。
【図８】図７のＤ−Ｄ線断面図である。
【図９】図４のＥ−Ｅ線拡大断面図である。
【図１０】図９のＦ−Ｆ線拡大断面図である。
【図１１】図１に示すエバポレータの冷媒入出用ヘッダタンクの右端部とジョイントプレートとを示す部分分解斜視図である。
【図１２】図１に示すエバポレータの冷媒ターン用ヘッダタンクの部分の分解斜視図である。
【図１３】図２のＧ−Ｇ線拡大断面図である。
【図１４】仕切板の前側仕切部におけるガイド部の第１の変形例を示す図７に相当する図である。
【図１５】仕切板の前側仕切部におけるガイド部の第２の変形例を示す図７に相当する図である。
【図１６】仕切板の前側仕切部におけるガイド部の第３の変形例を示す図７に相当する図である。
【図１７】図１６のＨ−Ｈ線断面図である。
【符号の説明】
【００７６】
(1)：エバポレータ（熱交換器）
(2)：冷媒入出用ヘッダタンク
(3)：冷媒ターン用ヘッダタンク
(5)：冷媒入口ヘッダ部
(5a)：上側空間（第１の空間）
(5b)：下側空間（第２の空間）
(6)：冷媒出口ヘッダ部
(6a)(6b)：空間
(11)：第１中間ヘッダ部
(11a)(11b)：空間
(12)：第２中間ヘッダ部
(12a)(12b)：空間
(15)：熱交換管
(16)：熱交換管群
(21)(92)：第１部材
(22)(93)：第２部材
(23)(94)：仕切板（板状仕切部材）
(26)：左端部材
(26a)：前キャップ
(26b)：後キャップ
(27)：右端部材
(27a)：前キャップ
(27b)：後キャップ
(28)：第１ヘッダ形成部（冷媒入口ヘッダ部の第１部材）
(29)：第２ヘッダ形成部（冷媒出口ヘッダ部の第１部材）
(42)：第１ヘッダ形成部（冷媒入口ヘッダ部の第２部材）
(43)：第２ヘッダ形成部（冷媒出口ヘッダ部の第２部材）
(48)：前側仕切部（冷媒入口ヘッダ部の板状仕切部材）
(49)：後側仕切部（冷媒出口ヘッダ部の板状仕切部材）
(52)：連通口
(55A)(55B)：貫通穴
(59)(130)(135)(140)：ガイド部
(59a)(130a)(135a)：傾斜部
(59b)(130b)(135b)：水平部
(60)：入口ヘッダ部本体
(61)：出口ヘッダ部本体
(101)(102)：連通穴
(140a)：湾曲部
(77)：冷媒入口
(78)：冷媒出口
【図１】
2008298319.tif 000003
【図２】
2008298319.tif 000004
【図３】
2008298319.tif 000005
【図４】
2008298319.tif 000006
【図５】
2008298319.tif 000007
【図６】
2008298319.tif 000008
【図７】
2008298319.tif 000009
【図８】
2008298319.tif 000010
【図９】
2008298319.tif 000011
【図１０】
2008298319.tif 000012
【図１１】
2008298319.tif 000013
【図１２】
2008298319.tif 000014
【図１３】
2008298319.tif 000015
【図１４】
2008298319.tif 000016
【図１５】
2008298319.tif 000017
【図１６】
2008298319.tif 000018
【図１７】
2008298319.tif 000019